(57)【特許請求の範囲】
【請求項１】
砲口（２）の領域に配置されて視野調整装置のコリメータを固定するためのコリメータホルダ（３）を有する武器用砲身において、
ａ）コリメータホルダ（３）が、武器用砲身（１）の長手軸線（４）の方向に延びる蟻継案内部（７，８）を有するソリとして形成され、
ｂ）蟻継案内部（７，８）の二つの横案内面の少なくとも一方が、砲口（２）の方向へ向かってくさび形状に変化する推移を有し、
ｃ）ソリ（３）が、砲口（２）に固定された蟻継受けブロック（１１，１２）上へ滑らせて取り付けられ、その蟻継受けブロックの少なくとも一つの横案内面も同様に、砲口（２）へ向かって同様にくさび状に変化する推移を有し、
ｄ）ソリ（３）は、ソリ（３）の一方の側（１５）に形成された溝状凹部（９）と、蟻継受けブロック（１１，１２）の領域の武器用砲身固定の溝状凹部（１６）とへ挿入可能な横くさびブロック（１４）を介して軸線方向に変位しないように固定される
武器用砲身。
【請求項２】
蟻継案内部（７，８）の横案内面及び蟻継受けブロック（１１，１２）の対応する横案内面によって形成されるくさび角度が、２度から５度の間にあることを特徴とする請求項１に記載の武器用砲身。
【請求項３】
横くさびブロック（１４）の側面と砲身固定の溝状凹部（１６）の対応する添接面（１７，１８）が、それぞれ３度から８度の間にあるくさび角度を有することを特徴とする請求項１または２に記載の武器用砲身。
【請求項４】
ソリ（３）の武器用砲身（１）へ向いた側に、武器用砲身（１）の長手軸線の方向に前脚部及び後脚部（５，６）が設けられており、その場合に二つの脚部（５，６）の各々に蟻継案内部（７，８）が形成されており、
武器用砲身（１）には、二つの分離された対応する蟻継受けブロック（１１，１２）が配置されていることを特徴とする請求項１から３のいずれか１項に記載の武器用砲身。
【請求項５】
横くさびブロック（１４）を挿入するための、ソリ（３）の溝状凹部（９）が、二つの脚部（５，６）の間に配置されていることを特徴とする請求項４に記載の武器用砲身。
【請求項６】
ソリ（３）の第１の側（１５）とは反対の第２の側（２１）から横くさびブロック（１４）の端面へ第１のねじ（２０）が嵌入し、それによってそのねじ（２０）が引き締められた場合に横くさびブロック（１４）が武器用砲身固定の溝状凹部（１６）内へ引き込まれてソリ（３）が蟻継受けブロック（１１，１２）上で軸線方向に押圧されるようにしたことを特徴とする請求項１から５のいずれか１項に記載の武器用砲身。
【請求項７】
横くさびブロック（１４）を固定するために、第２のねじ（２２）が設けられており、そのねじはソリ（３）に形成されたスロット（２３）を介して横くさびブロック（１４）内へ半径方向に嵌入することを特徴とする請求項１から６のいずれか１項に記載の武器用砲身。
【発明の詳細な説明】
【０００１】
【発明の属する技術分野】
本発明は、砲口の領域に配置された、視野調整装置のコリメータを取り付けるためのコリメータ保持装置を有する武器用砲身に関する。
【０００２】
【従来の技術】
発射作業の過程において、武器用砲身は砲身内に存在する高温ガス及び燃焼紛から砲身壁への熱伝導によって、著しく加熱される。このような現象は、いわゆる連続発射の際に発生する。武器用砲身の温度が上がると、砲口が撓むことが頻繁に生じ、結果として武器精度が低下する。
【０００３】
これにより、発射作用中に、原則として「視野調整装置」による武器の追従調整を行わなければならない。視野調整装置は、武器用砲身の砲口に配置された光学系（コリメータ）を利用して砲口の位置を検証し、必要であれば補正処置をとることもできる。このような手順のために、コリメータは武器用砲身の砲口に特別なコリメータ保持装置によって固定される。
【０００４】
【発明が解決しようとする課題】
コリメータ保持装置を武器用砲身にねじで接続することが知られている。しかし、このような解決策は、比較的幅の広い固定箇所を武器用砲身に設ける必要がある点で、不利である。さらに、固定ねじのために武器用砲身に十分なねじの深さを確保しなければならない。このような要求のために武器用砲身の砲口においてかなりの量の武器用砲身の材料が必要であり、これは武器用砲身の振動特性に悪影響を与え、武器用砲身の砲口の撓みを助長する。さらに、固定ねじがしばしば緩むという問題が発生していることがわかっている。
【０００５】
筒状のコリメータホルダが使用される場合、このコリメータホルダを武器用砲身上に焼き嵌めした二つのリングを用いて固定することが、すでに提案されている。とりわけ、このような解決策は、かなりの技術的経費を含むということで不利であり、武器用砲身の砲口部分に更にかなり大量の材料を必要とする。
本発明の課題は、簡単かつ使用者にやさしい方法で武器用砲身に取り付けられ、かつ砲口部分に必要な材料の量の増加がわずかである、コリメータ保持装置を有する武器用砲身を提供することである。更に、別の目的は武器用砲身の砲口にいかなる遊びもなく固定できるコリメータ保持装置を提供することにある。
【０００６】
【課題を解決するための手段】
この課題は、砲口の領域に配置されて視野調整装置のコリメータを固定するためのコリメータホルダを有する武器用砲身において、コリメータホルダが、武器用砲身の長手軸線の方向に延びる蟻継案内部を有するソリとして形成され、蟻継案内部の二つの横案内面の少なくとも一方が、砲口の方向へ向かってくさび形状に変化する推移を有し、ソリが、砲口に固定された蟻継受けブロック上へ滑らせて取り付けられ、その蟻継受けブロックの少なくとも一つの横案内面も同様に、砲口へ向かって同様にくさび状に変化する推移を有し、ソリは、ソリの一方の側に形成された溝状凹部と、蟻継受けブロックの領域の武器用砲身固定の溝状凹部とへ挿入可能な横くさびブロックを介して軸線方向に変位しないように固定される武器用砲身により解決される。
【０００７】
好ましくは、蟻継案内部の横案内面及び蟻継受けブロックの対応する横案内面によって形成されるくさび角度が、２度から５度の間にある。
好ましくは、横くさびブロックの側面と砲身固定の溝状凹部の対応する添接面が、それぞれ３度から８度の間にあるくさび角度を有する。
好ましくは、ソリの武器用砲身へ向いた側に、武器用砲身の長手軸線の方向に前脚部及び後脚部が設けられており、その場合に二つの脚部の各々に蟻継案内部が形成されており、武器用砲身には、二つの分離された対応する蟻継受けブロックが配置されている。
【０００８】
好ましくは、横くさびブロックを挿入するための、ソリの溝状凹部が、二つの脚部の間に配置されている。
好ましくは、ソリの第１の側とは反対の第２の側から横くさびブロックの端面へ第１のねじが嵌入し、それによってそのねじが引き締められた場合に横くさびブロックが武器用砲身固定の溝状凹部内へ引き込まれてソリが蟻継受けブロック上で軸線方向に押圧されるようにしている。
【０００９】
好ましくは、横くさびブロックを固定するために、第２のねじが設けられており、そのねじはソリに形成されたスロットを介して横くさびブロック内へ半径方向に嵌入する。
大体において本発明は、コリメータホルダとして蟻継案内部を有するソリを使用するという考えに基づいており、その場合に蟻継案内部の二つの横案内面がくさび形状に延びている。ソリは、砲口に設けられて同様に対応する角度だけ傾斜した蟻継受けブロック上に滑らせて取り付けられる。蟻継プロフィールにより案内面が傾斜していることと結び付いて、蟻継の横案内面が軸線方向に傾斜していることにより、ソリが武器用砲身側の受けブロックと締付け固定される。
【００１０】
ソリの固定は、対応する武器用砲身側の添接面と同様に傾斜を有する横くさびブロックによって行われる。横くさびブロックは、終端位置へ組み込まれた場合にソリを押圧して、発射の際に慣性により発射方向へ変位しようとするソリの軸線方向の移動を制限する。
蟻継案内部の横案内面及び蟻継受けブロックの対応する横案内面によって形成されるくさび角度が２度から５度の間にあると、効果的であることが証明されている。
【００１１】
さらに、横くさびブロックの側面、及び砲身固定の溝状凹部の対応する添接面が、それぞれ３度から８度の間のくさび角度を有すると、効果的であることが明らかにされている。
本発明の他の詳細と利点は、図面を用いて以下で説明する実施例から明らかにされる。
【００１２】
【発明の実施の形態】
図１には、武器用砲身が符号１で示されており、その武器用砲身の砲口２の領域にコリメータホルダ３が取り付けられる。コリメータホルダ３は、その武器用砲身１の側に、武器用砲身の長手軸線４の方向に前方及び後方の脚部５，６を有するソリとして形成されている。両方の脚部５，６の各々には、蟻継案内部７，８が設けられており、これら蟻継案内部間のソリには溝状凹部９が形成されている。
【００１３】
それぞれの蟻継案内部の二つの横案内面の少なくとも一方は、砲口２へ向かってくさび状に拡幅している。
ソリ３は、砲口２の領域に配置された蟻継受けブロック１１，１２上へ摺動させて載せることができ、その蟻継受けブロックの少なくとも一つの横案内面も同様にくさび角１３でくさび形状に拡幅している。
【００１４】
ソリ３は、横くさびブロック１４を介して固定することができる。そのために横くさびブロック１４をソリ３の取り付け後に、ソリ３の第１の側１５に形成された溝状凹部９と、武器用砲身固定の溝状凹部１６へ挿入することができ、凹部１６は前方の蟻継受けブロック１１の砲口とは逆の側１７と、武器用砲身１のウェブ板１９の砲口に向けて傾斜した側１８とによって画成される。
【００１５】
次に、コリメータホルダ３を武器用砲身１に取り付ける態様について、簡単に説明する。
先ず、前脚部５が前蟻継受けブロック１１の後方に配置され、かつ後脚部６が後蟻継ブロック１２の後方に配置されるようにして、ソリ３が武器用砲身１に設けられた蟻継受けブロック１１，１２にあてがわれる。次いで、横くさびブロック１４が溝状凹部９と武器用砲身１の凹部１６へ挿入できるように、ソリ３を蟻継受けブロック１１，１２上で砲口２へ向けて摺動させる。
【００１６】
次に、ソリ３の第１の側１５とは反対の第２の側２１から横くさびブロック１４の端面へ嵌入する第１のねじ２０によって、横くさびブロック１４が武器用砲身１に両側で添接するまで引きつけられるので、ソリ３は必要に応じてくさび斜面１３によってさらに蟻継受けブロック１１，１２上で軸線方向に押圧される。
このようにして得られた蟻継受けブロック１１，１２とソリ３の案内部７，８との間の締付けには、遊びがない。横くさびブロック１４に付加的に取り付けられた、ソリの溝に嵌入するフェザーキー（明瞭化のために図示しない）によって、発射の間にソリ３が砲口２の方向へ軸線方向に変位することが阻止される。
【００１７】
予防策として、ソリ３に設けられたスロット２３を介し横くさびブロック１４へ半径方向に嵌入する第２のねじ２２を用いて、横くさびブロック１４をソリ３に固定することができる。このねじはさらに、組み込まれた横くさびブロック１４をソリ３に対して半径方向外側へ引っ張り、それによって溝状凹部１６内で砲身の載置から持ち上げる課題を有する。第１のねじ２０も第２のねじ２２も、好ましくは緩まないように固定される。
【００１８】
必要であれば、ソリ３を簡単に取り外すことができる。そのためにはまず、横くさびブロック１４が緩められてソリ３から引き出される。次に、ソリ３は、その発射方向に向いた端面を軽く押圧することによって、蟻継受けブロック１１，１２から押し出される。
本発明はもちろん、上記の実施例に限定されるものではない。従って、たとえばソリは蟻継案内部を備えて分離された二つの脚部を有する必要はなく、たとえば連続的に形成された唯一の蟻継案内部のみを使用することも可能である。
【００１９】
さらに、それぞれの蟻継案内部の二つの横案内面が、武器用砲身の長手軸線に対して傾斜して形成されている必要はなく、一方の横案内面のみがこのような傾斜を有しているだけで十分である。
【図面の簡単な説明】
【図１】大口径の武器用砲身の砲口側の領域を、武器用砲身に固定する前の本発明に基づくコリメータホルダと共に示す斜視図である。
【図２】武器用砲身に固定した後のコリメータホルダを示す、図１と同様な斜視図である。
【符号の説明】
１…武器用砲身
２…砲口
３…コリメータホルダ、ソリ
４…長手軸線
５…前脚部
６…後脚部
７，８…蟻継案内部、案内部
９…溝状凹部
１０…ソリに設けられた蟻継案内部のくさび角度
１１，１２…蟻継受けブロック、受けブロック
１３…砲身に設けられた蟻継受けブロックのくさび角度
１４…横くさびブロック
１５…第１の側（ソリ）
１６…溝状凹部（武器用砲身）、凹部
１７…側（前蟻継受けブロック）、添接面
１８…側（ウェブ板）、傾斜した添接面
１９…ウェブ板
２０…第１のねじ
２１…第２の側（ソリ）
２２…第２のねじ
２３…スロット
【図１】
0003679281.tif 000002
【図２】
0003679281.tif 000003